(57)【要約】【課題】従来の記憶領域の複製機能をもつ記憶装置では、記憶領域と同容量の複製領域を必要としていた。【解決手段】記憶領域の複製機能をもつ記憶装置において、記憶領域を分割し、この分割領域を順次複製領域とペア状態とし、複製領域を順次切り替えて使用し、保存領域へバックアップする。【選択図】  図１
2004199116.tif 000002
【特許請求の範囲】
【請求項１】
記憶領域及び複製領域を有し、前記記憶領域のデータを前記複製領域に複製するプログラムを内蔵した記憶装置を備えたコンピュータシステムにおいて、前記記憶領域のデータを前記複製領域に複製する際に、前記記憶領域をＮ個の部分に分割し、該分割した記憶領域部分を順次、前記記憶領域の１／Ｎ（Ｎ≧２）の容量を有する前記複製領域内の第１複製領域に複製する機能を有することを特徴とするコンピュータシステム。
【請求項２】
請求項１記載のコンピュータシステムにおいて、前記分割した１つの記憶領域部分の複製を行う際、前記記憶領域の複製を行っていない残りの記憶領域部分については、前回の複製時からの差分を前記複製領域内の差分領域に複製する機能を有するコンピュータシステム。
【請求項３】
請求項１または２に記載のコンピュータシステムにおいて、前記複製領域内のデータをバックアップする際は、バックアップサーバ上のバックアップソフトウェアの制御により前記複製領域から保存装置の保存領域へバックアップを行う機能を有することを特徴とするコンピュータシステム。
【請求項４】
請求項１または２に記載のコンピュータシステムにおいて、前記１／Ｎの部分毎に複製を行う際、前記分割された１つの記憶領域部分と前記第１複製領域とのペア状態を、順次切り替えることによりバックアップを行う機能を有することを特徴とするコンピュータシステム。
【請求項５】
請求項１または２に記載のコンピュータシステムにおいて、前記保存領域へバックアップされたデータを前記記憶領域へ復元する機能を有することを特徴とするコンピュータシステム。
【請求項６】
請求項１ないし５のいずれかに記載のコンピュータシステムにおいて、前記コンピュータシステムは、業務サーバ、バックアップサーバ、記憶装置、保存装置及びこれらの各機器間を相互に接続するＩ／Ｏ切替え装置を備えており、前記記憶領域だけを持った記憶装置と前記複製領域だけを持った記憶装置が別筐体で構成されていることを特徴とするコンピュータシステム。
【請求項７】
請求項１ないし６のいずれかに記載のコンピュータシステムにおいて、前記コンピュータシステムは、業務サーバ、バックアップサーバ、記憶装置、保存装置及びこれらの各機器間を相互に接続するＩ／Ｏ切替え装置を備えており、前記各機器の少なくとも１つが遠隔地に離れて存在していることを特徴とするコンピュータシステム。
【請求項８】
記憶領域及び複製領域を有し、前記記憶領域のデータを前記複製領域に複製するプログラムを内蔵した記憶装置を備えたコンピュータシステムにおけるバックアップ方法であって、
前記記憶領域をＮ（≧２）に分割し、該分割領域を順次、複製領域とペア状態とし、前記複製領域を順次切り替えて使用し、保存領域へバックアップすることを特徴とするコンピュータシステムにおけるバックアップ方法。
【請求項９】
記憶領域及び複製領域を有し、前記記憶領域のデータを前記複製領域に複製するプログラムを内蔵した記憶装置を備えたコンピュータシステムにおけるバックアップ方法であって、
前記記憶領域をＮ（≧２）に分割し、該分割した記憶領域部分を順次、前記記憶領域の１／Ｎ（Ｎ≧２）の容量を有する前記複製領域内の第１複製領域に複製し、
前記記憶領域の複製を行っていない残りの記憶領域部分については、前回の複製時からの差分を前記複製領域内の差分領域に複製し、
前記複製領域内のデータを保存装置の保存領域へバックアップを行うことを特徴とするコンピュータシステムにおけるバックアップ方法。
【請求項１０】
請求項８または９に記載のコンピュータシステムのバックアップ方法において、前記保存領域へバックアップされたデータを前記記憶領域へ復元することを特徴とするコンピュータシステムにおけるバックアップ方法。
【発明の詳細な説明】
【０００１】
【発明の属する技術分野】
本発明は、データのバックアップを行うために記憶領域とデータの複製領域を持つコンピュータシステムにおいて、記憶装置内もしくは記憶装間で高速に複製を作成する際の複製領域の使用方式に関する。
【０００２】
【従来の技術】
記憶領域のデータをバックアップする際には、記憶領域へのアクセスを抑止し、その間にバックアップを行う必要がある。例えば、特許文献１には、バックアップ処理中におけるオンライン処理の性能低下を防止し、高速なバックアップを行えるようにするために、アプリケーションから外部記憶装置へのデータ書き込みを、サーバ上のミドルウェアで記憶領域に二重化する方式が開示されている。この方法によれば、バックアップ時は二重化を停止し、一方の記憶領域を使ってアプリケーションの処理を継続し、バックアップサーバのバックアッププログラムにより他方の記憶領域からテープ装置にバックアップデータを転送する。バックアップ終了後、ミドルウェアにより二重化を再開すると共に、２つの記憶領域の内容を再同期させる。このように、バックアップ前に記憶領域と同容量の複製領域へ記憶領域の内容をコピーしておき、複製領域からデータをバックアップすることにより、記憶領域へのアクセスする必要がなく、その間は記憶領域を使用している業務を停止しておく必要がない。
【０００３】
【特許文献１】
特開２００２−４１３４５号公報
【０００４】
【発明が解決しようとする課題】
しかしながら、上記特許文献１に記載されたような方式では、記憶装置のコピー機能（ＨＯＭＲＣＦ／ＨＯＲＣもしくはShadow Image機能など）を使用する際、複製領域には記憶領域と同容量の領域を必要とするため、トータル記憶領域容量は記憶領域の２倍必要となり、システム構築コストが高くなっている。
本発明の目的は、データのバックアップを行うために記憶領域とデータの複製領域を持つものにおいて、複製領域を少容量としシステム構築時の原価およびスペースの削減を行うことの可能なコンピュータシステム及びそのバックアップ方法を提供することにある。
本発明の他の目的は、データのバックアップを行うために記憶領域とデータの複製領域を持つものにおいて、一回のバックアップにかかる時間を節約可能なコンピュータシステム及びそのバックアップ方法を提供することにある。
【０００５】
【課題を解決するための手段】
本発明の特徴は、記憶領域及び複製領域を有し、前記記憶領域のデータを前記複製領域に複製するプログラムを内蔵した記憶装置を備えたものにおいて、前記記憶領域のデータを前記複製領域に複製する際に、前記記憶領域をＮ個の部分に分割し、該分割した記憶領域部分を順次、前記記憶領域の１／Ｎ（Ｎ≧２）の容量を有する前記複製領域内の第１複製領域に複製する機能を有することにある。
本発明の他の特徴は、記憶領域を複数に分割し、記憶領域よりも少容量の複製領域は時分割し、ペア状態を順次切り替えつつ、保存領域へ順次バックアップしていくことにある。
なお、ペア状態でない記憶領域に関しては、差分データを複製領域へ記録することにより、複製領域容量を押さえつつ、その時点でのすべての更新データのバックアップを行う。
本発明によれば、記憶領域を分割し、順次複製領域とペアを組み、保存領域へバックアップすることにより、複製領域の少容量化を図ることができる。また、一回のバックアップにかかる時間を節約することができる。
【０００６】
【発明の実施の形態】
以下、本発明の実施の形態を説明する。まず、図１は、第１の実施形態によるコンピュータシステムの構成を示す簡略なブロック図である。本実施形態におけるコンピュータシステムでは、記憶領域のデータを複製領域にコピーする際に、前記記憶領域をＮ個に分割し、分割した記憶領域部分毎に順次複製を行う。すなわち、分割された記憶領域部分のうちの一つが複製領域へコピーされ、さらに保存領域へバックアップされる。
【０００７】
図１に示すように、本実施形態におけるコンピュータシステムでは、業務サーバ１１０とバックアップサーバ１２０が、それぞれＬＡＮインタフェース１１１、１２１を介してＬＡＮ１００で接続される。業務サーバ１１０は、Ｉ／Ｏインタフェース１１２、バス１０１を介して記憶装置１３０のＩ／Ｏインタフェース１３１に接続される。バックアップサーバ１２０は、Ｉ／Ｏインタフェース１２２、バス１０２を介して記憶装置１３０のＩ／Ｏインタフェース１３２と、保存装置１４０のＩ／Ｏインタフェース１４１に接続される。
【０００８】
業務サーバ１１０内で動作する業務アプリケーション１１３及びデータベース１１４の使用するデータは、記憶装置１３０の記憶領域部分（１３４，１３５，１３６，１３７）に格納されている。すなわち、記憶装置１３０の記憶領域は、Ｎ個に等分割された記憶領域部分１（１３４）〜記憶領域部分Ｎ（１３７）として構成されている。記憶装置１３０にはまた、１個の複製領域１（１３８）及び１個の差分領域１（１３９）が形成されている。なお、複製領域１（１３８）の容量は、１個の記憶領域部分の容量と等しい。
【０００９】
バックアップサーバ１２０内には、複製領域１３８から複数の保存領域（１４３，１４４，１４５）へのバックアップを制御するバックアップソフトウェア１２３が保持されている。バックアップソフトウェア１２３はまた、差分領域１（１３９）への差分データのバックアップも制御する。
【００１０】
記憶装置１３０内のコントローラ１３３は、業務サーバ１１０から記憶領域部分１（１３４）〜記憶領域部分Ｎ（１３７）へのデータのリードライト制御、およびバックアップサーバ１２０から複製領域１３８へのデータのリードライト制御、さらに記憶領域部分１〜Ｎから複製領域１３８へのデータのコピー制御を行っている。
【００１１】
保存装置１４０内のコントローラ１４２は、バックアップサーバ１２０から保存領域（１４３，１４４，１４５）へのデータのリードライト制御を行っている。
【００１２】
バックアップソフトウェア１２３は、ユーザからのバックアップ開始の指示やバックアップ対象の指定を受け付け、記憶装置１３０の複製領域１３８から保存装置１４０の保存領域（１４３，１４４，１４５）にデータを転送するための“データ転送機能”、及び、データ転送のタイミングと連動し、転送処理の前後に記憶装置のコントローラと連携を取るための“ペア制御連携機能”を有する。
【００１３】
図２により、バックアップソフトウェア１２３の動作を説明する。
バックアップソフトウェア１２３は、記憶領域部分１（１３４）のバックアップ要求（ｎ＝１）があると（ステップ２０２）、まず始めに記憶領域部分１（１３４）と複製領域１（１３８）をペア状態とし（ステップ２０４）、残りの記憶領域部分（１３５，１３６，１３７）は差分領域１（１３９）とペア状態にする（ステップ２０６）。次に、記憶領域部分１（１３４）のデータを複製領域１（１３８）へコピーする（ステップ２０８）。そして一旦ペア状態を解除し、記憶領域部分１（１３４）と複製領域１（１３８）を切り離す（ステップ２１０）。
バックアップソフトウェア１２３は、さらに、複製領域１（１３８）からデータを読み出し保存領域１（１４３）へバックアップする（ステップ２１２）。もし、保存領域１（１４３）に複製領域１（１３８）のデータが入りきらない場合は、続いてこれを保存領域２（１４４）へバックアップする（ステップ２１４〜２１６）。
【００１４】
ペア状態ではない記憶領域部分（１３５，１３６，１３７）は差分領域１（１３９）とペア状態となっており、前回バックアップ時からの差分データが差分領域１（１３９）に記録される（ステップ２１８）。さらに、バックアップソフトウェア１２３により差分データ１（１３９）のデータも読み出され保存領域１（１４３）へバックアップされる（ステップ２２０）。もし保存領域１（１４３）にデータが入りきらない場合は続いて保存領域２（１４４）へバックアップする（ステップ２２２〜２２６）。
【００１５】
記憶領域部分１（１３４）および差分領域１（１３９）のバックアップが終了したら、次に、新たな記憶領域部分２（１３５）と複製領域１（１３８）をペア状態とし（ｎ＝２）、記憶領域部分２（１３５）のデータを複製領域１（１３８）へコピーする（ステップ２３０、２０４〜２１４）。記憶領域部分２（１３７）のバックアップ及び差分データのバックアップが終了したらまたこの先同様に、ｎ＝Ｎを１サイクルとして、処理を繰り返し、要求のある限り同様の処理を続行する。
【００１６】
各記憶領域部分（１３４，１３５，１３６，１３７）と複製領域１（１３８）とがペア状態を組む順序については、必ずしも記憶領域部分の位置の順序通りとは限らず、バックアップソフトウェア１２３に設定されてある各記憶領域部分毎のバックアップスケジューリングに合わせ、ペア制御連携機能により記憶装置１３０のコントローラ１３３と連携し、任意の順序で実施することが出来る。
【００１７】
保存領域（１４３，１４４，１４５）にバックアップされたデータを、記憶領域部分（１３４，１３５，１３６，１３７）へリストアするリストア処理も、上記バックアップ取得処理と同様な手順で行なわれる。
本実施形態での、第１のリストア処理方式は、バックアップソフトウェア１２３より、保存領域（１４３，１４４，１４５）にバックアップされたデータを、記憶領域部分（１３４，１３５，１３６，１３７）へリストアする要求があった場合、ペア状態を対象データの存在する記憶領域部分に切り替え、保存領域（１４３，１４４，１４５）から対象となるデータをバックアップサーバ１２０が読み出し、複製領域１３８へ書き込む。複製領域への書き込みが終了したら、業務サーバ１１０のデータベース１１４から記憶装置１３０へのアクセスを一時中断し、複製領域１３８から記憶領域部分（１３４，１３５，１３６，１３７）へ書き込み、その後データベース１１４からのアクセスを再開する。
本実施形態での、第２のリストア処理方式は、バックアップソフトウェア１２３より、保存領域（１４３，１４４，１４５）にバックアップされたデータを、記憶領域部分（１３４，１３５，１３６，１３７）へリストアする要求があった場合、保存領域（１４３，１４４，１４５）から対象となるデータをバックアップサーバ１２０が読み出し、ＬＡＮ１００経由にてデータを業務サーバ１１０に送り、業務サーバ１１０は対象記憶領域部分（１３４，１３５，１３６，１３７）へ書き込む。
【００１８】
本実施形態によれば、記憶領域を複数に分割し、順次複製領域とペアを組み、保存領域へバックアップすることにより、複製領域の少容量化を図ることができる。以下、この点について説明する。
まず、先に述べたとおり、本実施形態によれば複製領域１（１３８）の必要容量は、１個の記憶領域部分の容量と等しい。
ここで、記憶領域の分割数をＮ（整数）とし、差分データ量が記憶データ量に対して１／Ｍになると仮定する。すると、差分領域１の容量は、（Ｎ−１）／Ｍとなる。
一方、複製領域が記憶領域と同容量の領域を必要とする従来方式では、複製領域１の他に（Ｎ−１）の複製領域が必要になる。
複製領域と差分領域との合計容量Ｃを計算すると、
上記従来方式（X）では、ＣX＝Ｎ
本実施形態（Y）では、ＣY＝１＋（（Ｎ−１）／Ｍ）となる。
ＣX／ＣY＝Ｎ／（１＋（（Ｎ−１）／Ｍ））＝ＮＭ／（Ｍ＋Ｎ−１）………（１）
差分領域１のデータが実際にどの位になるかということは、記憶領域に対するデータ更新度合がどれ位になるかということによって決まる。本実施形態において記憶領域の１／Ｍが更新されるということは、常に１／Ｍは保証されることになる。一般的には、差分領域１の容量は記憶装置１３０の記憶領域の容量に比べて小さいもので良く、例えば、１／Ｍ＝０．１程度で足りる。仮に１個の記憶領域部分記憶装置１３０の記憶領域の分割数Ｎを２とし、Ｍ＝１０とした場合、（１）式から、ＣX／ＣY＝ＮＭ／（Ｍ＋Ｎ−１）＝２０／１１≒１．８なり、本実施形態（Y）のほうが、従来方式（X）よりも複製領域の容量を少なくすることができる。
次に、分割数Ｎを１０とし、Ｍ＝１０とした場合、ＣX／ＣY≒５．２６となり、本実施形態（Y）のほうが、従来方式（X）よりも複製領域の容量を大幅に少なくすることができる。
このように、（１）式から、Ｎ≧２、Ｍ＞１とすることで、従来方式（X）よりも本実施形態（Y）のほうが、常に複製領域の容量を少なくできる。すなわち、本実施形態によれば、複製領域１と差分領域１を含む記憶装置１３０内のトータルの記憶領域容量が、常に記憶領域（１３４，１３５，１３６，１３７）の容量の２倍未満となり、システム構築コストを低減できる。
このように、本実施形態によれば、記憶領域を分割し、順次複製領域とペアを組み、保存領域へバックアップすることにより、複製領域の少容量化を図ることができる。これにより、投資コストを押さえることが可能となる。
また、複製領域の容量が少なくなるので、一回のバックアップに掛かる時間を節約することも可能となる。
【００１９】
図３は、本発明の第２の実施形態におけるコンピュータシステムの構成を示す簡略なブロック図であり、業務サーバ１１０、バックアップサーバ１２０、記憶装置１３０、保存装置１４０は、Ｉ／Ｏ切替え装置２００を介して相互に接続されている。
【００２０】
図３に示すように、本実施形態におけるコンピュータシステムでは、業務サーバ１１０は、Ｉ／Ｏインタフェース１１２、バス２１０を介してＩ／Ｏ切替え装置２００のＩ／Ｏインタフェース２０１に接続される。バックアップサーバ１２０は、Ｉ／Ｏインタフェース１２２、バス２１１を介してＩ／Ｏ切替え装置２００のＩ／Ｏインタフェース２０２に接続される。
記憶装置１３０のＩ／Ｏインタフェース１３１は、バス２１２を介してＩ／Ｏ切替え装置２００のＩ／Ｏインタフェース２０３に接続される。記憶装置１３０のＩ／Ｏインタフェース１３２は、バス２１３を介してＩ／Ｏ切替え装置２００のＩ／Ｏインタフェース２０４に接続される。保存装置１４０のＩ／Ｏインタフェース１４１は、バス２１４を介してＩ／Ｏ切替え装置２００のＩ／Ｏインタフェース２０５に接続される。
【００２１】
Ｉ／Ｏ切替え装置２００は、装置内のＩ／Ｏインタフェース間でのアクセスを制限する機能を持ち、今Ｉ／Ｏインタフェース２０１とＩ／Ｏインタフェース２０３へはそれ以外のＩ／Ｏインタフェースからのアクセスを制限されている。また、Ｉ／Ｏインタフェース２０２とＩ／Ｏインタフェース２０４、Ｉ／Ｏインタフェース２０５へはそれ以外のＩ／Ｏインタフェースからのアクセスを制限されている。この状態では、図１の接続状態と論理的に何ら変わらない接続状態を実現することが出来、誤った装置へのデータの変更が行われないようになっている。
【００２２】
このほかの構成、各部の機能については、第１の実施形態と同様であり、ここでは説明を省略する。
【００２３】
本実施形態におけるバックアップ取得処理及びリストア処理は、第１の実施形態とほぼ同様に実施される。
本実施形態でも、記憶領域を分割し、順次複製領域とペアを組み、保存領域へバックアップすることにより、複製領域の少容量化を図ることができる。これにより、投資コストを押さえることが可能となる。また、複製領域の容量が少なくなるので、一回のバックアップに掛かる時間を節約することが可能となる。
【００２４】
図４は、本発明の第３の実施形態におけるコンピュータシステムの構成を示す簡略なブロック図であり、図１の記憶装置１３０の記憶領域部分及び複製領域が別筐体となった場合の構成を示している。
【００２５】
記憶装置間Ｉ／Ｏインタフェース１３１，１３２が直接バス１０４を介して接続されている。
【００２６】
このほかの構成、各部の機能については、第１の実施形態と同様であり、ここでは説明を省略する。
【００２７】
本実施形態におけるバックアップ取得処理及びリストア処理は、第１の実施形態とほぼ同様に実施される。
【００２８】
図５は、本発明の第４の実施形態におけるコンピュータシステムの構成を示す簡略なブロック図である。業務サーバ１１０、バックアップサーバ１２０、記憶装置１３０、保存装置１４０は、Ｉ／Ｏ切替え装置２００を介して相互に接続されている。図３の記憶装置１３０の記憶領域部分及び複製領域が別筐体となった場合の構成を示している。
【００２９】
記憶装置間Ｉ／Ｏインタフェース１３１，１３２がＩ／Ｏ切り替え装置２００のＩ／Ｏインタフェース２０６，２０７を介して接続されており、ここでもまたＩ／Ｏインタフェース２０６とＩ／Ｏインタフェース２０７はそれ以外のＩ／Ｏインタフェースからのアクセスを制限されている。
【００３０】
このほかの構成、各部の機能については、第１の実施形態と同様であり、ここでは説明を省略する。
【００３１】
本実施形態におけるバックアップ取得処理及びリストア処理は、第１の実施形態とほぼ同様に実施される。
本実施形態でも、記憶領域を分割し、順次複製領域とペアを組み、保存領域へバックアップすることにより、複製領域の少容量化を図ることができる。これにより、投資コストを押さえることが可能となる。また、複製領域の容量が少なくなるので、一回のバックアップに掛かる時間を節約することが可能となる。
【００３２】
図６は、今まで述べてきた装置間を遠距離に接続するための接続形態を示したブロック図である。ここで言う装置３００及び３３０は、前述した装置業務サーバ１００、バックアップサーバ１２０、記憶装置１３０、保存装置１４０及びＩ／Ｏ切り替え装置２００のどの組み合わせもありうるものとする。
【００３３】
図６に示すように、装置３００と遠距離接続装置３１０は、各々のＩ／Ｏインタフェース（３０１、３１１）がバス３４０を介し接続されている。遠距離接続装置３１０と遠距離接続装置３２０は、各々のＩ／Ｏインタフェース（３１２、３２２）が回線３５０を介し接続されている。装置３３０と遠距離接続装置３２０は、各々のＩ／Ｏインタフェース（３３１、３２１）がバス３４１を介し接続されている。
【００３４】
図１〜図５に示した接続形態の各Ｉ／Ｏインタフェース間の接続において、図６に示される接続形態で示した遠距離接続形態を組み合わせても、本実施形態におけるバックアップ取得処理及びリストア処理は、第１の実施形態とほぼ同様に実施される。
本実施形態でも、記憶領域を分割し、順次複製領域とペアを組み、保存領域へバックアップすることにより、複製領域の少容量化を図ることができる。これにより、投資コストを押さえることが可能となる。また、複製領域の容量が少なくなるので、一回のバックアップに掛かる時間を節約することが可能となる。
【００３５】
【発明の効果】
本発明によれば、記憶領域をＮ（≧２）に分割し、この分割領域に対応する複製領域を順次切り替えて使用することにより、複製領域の容量を少なくし、投資コストを押さえることが可能となる。
また、複製領域の容量が少なくなるので、一回のバックアップに掛かる時間を節約にすることが可能となる。
【図面の簡単な説明】
【図１】本発明の第１の実施形態によるコンピュータシステムの構成を示す簡略なブロック図である。
【図２】第１の実施形態におけるバックアップソフトウェアの動作を説明するフローチャートである。
【図３】本発明の第２の実施形態によるコンピュータシステムの構成を示す簡略なブロック図である。
【図４】本発明の第３の実施形態によるコンピュータシステムの構成を示す簡略なブロック図である。
【図５】本発明の第４の実施形態によるコンピュータシステムの構成を示す簡略なブロック図である。
【図６】本発明の他の実施形態として、業務サーバ、バックアップサーバ、記憶装置、保存装置、Ｉ／Ｏ切り替え装置間を遠距離に接続するための接続形態を示す簡略なブロック図である。
【符号の説明】
１００・・・ＬＡＮ（ローカルエリアネットワーク）
１０１〜１０３・・・バス（ＳＣＳＩやＦＣなどサーバと外部装置もしくは外部装置間を接続するケーブル）
１１０・・・業務サーバ
１１１・・・ＬＡＮインタフェース
１１２・・・Ｉ／Ｏインタフェース
１１３・・・業務アプリケーション
１１４・・・データベース
１２０・・・バックアップサーバ
１２１・・・ＬＡＮインタフェース
１２２・・・Ｉ／Ｏインタフェース
１２３・・・バックアップソフトウェア
１３０・・・記憶装置
１３１〜１３２・・・Ｉ／Ｏインタフェース
１３３・・・記憶装置用コントローラ
１３４〜１３７・・・記憶領域部分
１３８・・・複製領域
１３９・・・差分領域
１４０・・・保存装置
１４１・・・Ｉ／Ｏインタフェース
１４２・・・保存装置用コントローラ
１４３〜１４５・・・保存領域
２００・・・Ｉ／Ｏ切り替え装置
２０１〜２０７・・・Ｉ／Ｏインタフェース
２１０〜２１４・・・バス（ＳＣＳＩやＦＣなどサーバと外部装置もしくは外部装置間を接続するケーブル）
３００・・・業務サーバorバックアップサーバor記憶装置or保存装置orＩ／Ｏ切り替え装置
３０１・・・Ｉ／Ｏインタフェース
３１０・・・遠距離接続装置
３１１・・・Ｉ／Ｏインタフェース
３１２・・・遠距離接続用Ｉ／Ｏインタフェース
３２０・・・遠距離接続装置
３２１・・・Ｉ／Ｏインタフェース
３２２・・・遠距離接続用Ｉ／Ｏインタフェース
３３０・・・業務サーバorバックアップサーバor記憶装置or保存装置orＩ／Ｏ切り替え装置
３３１・・・Ｉ／Ｏインタフェース
３４０〜３４１・・・バス（ＳＣＳＩやＦＣなどサーバと外部装置もしくは外部装置間を接続するケーブル）
３５０・・・回線
【図１】
2004199116.tif 000003
【図２】
2004199116.tif 000004
【図３】
2004199116.tif 000005
【図４】
2004199116.tif 000006
【図５】
2004199116.tif 000007
【図６】
2004199116.tif 000008